(57)【特許請求の範囲】
【請求項１】
ねじ締めにより導体を接続するねじ式端子を有する回路遮断器の、過電流時に回路を遮断する機能を持つバイメタルと前記ねじ式端子とを接続する接続板の構造であって、前記ねじ式端子に接続される負荷座接続部と、前記バイメタルに接続されるバイメタル接続部とを形成すると共に、前記負荷座接続部から前記バイメタル接続部へ至るまでの間に、前記ねじ式端子に接続される端子ねじの締め付け回転するのに連動して、端子金具が回転してしまう場合に、前記接続板の撓みを吸収する可撓壁を設けることを特徴とする接続板の構造。
【発明の詳細な説明】
【技術分野】
【０００１】
本発明は、ねじ締めにより導体を接続するねじ式端子を有する回路遮断器の、過電流時に回路を遮断する機能を持つバイメタルとねじ式端子とを接続する接続板の構造に関するものである。
【背景技術】
【０００２】
従来回路遮断器のねじ式端子とバイメタルとは、ケース内に並設されている。機器の小型化が進み、回路遮断器も省スペースが求められているので、端子とバイメタルとは近い位置に配列されていた。そして、端子とバイメタルとを接続する接続板は、端子の側面部からほぼ直下に向かって伸ばされ、ケースの下方部でバイメタルに接続されていた。バイメタルは上方に向かって設けられ、バイメタルの動作に対応できるような位置に掛合片、ハンドルユニットが配置されていた。
【特許文献１】特開２００１−８４８８５号公報
【発明の開示】
【発明が解決しようとする課題】
【０００３】
ねじ式端子では、導体の端子への接続は、ねじを回転させ締め付けることでなされる。ねじを回転させる動作により端子金具が回転してしまい、バイメタルも連動して回転してしまうことがあった。バイメタルの位置がずれてしまうと、バイメタルと掛合片との間の距離が変わってしまい、バイメタルの動作時間等にずれがでてしまう虞があった。
【課題を解決するための手段】
【０００４】
そこで、本発明は、簡単な構造で、バイメタルの配置場所や、配置角度を限定し、動作時間のずれを減らす回路遮断器の接続板の構造を提供することを目的とし、その構造は、ねじ式端子に接続される負荷座接続部と、バイメタルに接続されるバイメタル接続部とを形成すると共に、負荷座接続部からバイメタル接続部へ至るまでの間に、ねじ式端子に接続される端子ねじの締め付け回転するのに連動して、端子金具が回転してしまう場合に、接続板の撓みを吸収する可撓壁を設けることを特徴とする。
【発明の効果】
【０００５】
本発明に係る回路遮断器の接続板の構造は、ねじ式端子に接続される負荷座接続部と、バイメタルに接続されるバイメタル接続部とを形成すると共に、負荷座接続部からバイメタル接続部へ至るまでの間に、ねじ式端子に接続される端子ねじの締め付け回転するのに連動して、端子金具が回転してしまう場合に、接続板の撓みを吸収する可撓壁を設けるため、端子のねじを締め付けても、接続板の接触部がケースの両側に当たり、バイメタルまで回転することはなく、バイメタルの動作時間に影響せず、安定した品質の回路遮断器を提供することができる。
【発明を実施するための最良の形態】
【０００６】
本発明に係る回路遮断器の接続板の構造を図１〜図４の添付図面に基いて説明する。
【０００７】
図１には、オン状態の回路遮断器１の内部機構を示している。回路遮断器１には、回路遮断器１をオン・オフ動作させる操作ハンドル２が設けられる。電源側端子３には固定接触子４が接続され、固定接触子４に対向するように可動接触子５が配置される。可動接触子５は操作ハンドル２に連動し、固定接触子４と接触したり離れたりすることで、回路が動作したり遮断したりされる。電源端子３から導入された電流は、電源側端子３、固定接触子４、可動接触子５を経て、可撓銅線６等を介してバイメタル７、接続板８、負荷側端子９へと流れ、負荷機器へと送られる。
【０００８】
バイメタル７の温度により変位する特性を利用して、回路中に過電流が流れた場合、バイメタル７に伝わる温度によって、バイメタル７が湾曲し、バイメタル７が常態であるときには触れない位置に設けられている掛合片１０に接触する。掛合片１０は、操作ハンドル２に接続されており、バイメタル７によって掛合片１０が動作すると操作ハンドル２も動作し、回路が引き外されてオフ状態となる。
【０００９】
本発明は、電源側端子３、負荷側端子９共に、導体（図示せず）をねじ締めにより固定する方式の、ねじ式端子で構成されている。負荷側端子９は、導体導入口１１を形成した略箱状の端子金具１２で構成され、端子金具１２上面部にはねじ挿通孔１３を形成し、ねじ挿通孔１３には導体を締め付け固定するための端子ねじ１４を挿通している。端子金具１２には負荷座１５が組み込まれ、端子ねじ１４を締め付けることで、導体は、負荷座１５と押さえ金具１６により挟持される。負荷側端子９とバイメタル７は、接続板８を介して接続される。接続板８の一端は端子金具１２の導体導入口１１とは反対側に接続され、他端にはバイメタル７が接続される。
【００１０】
接続板８は、一端に負荷座接続部１７と、他端にバイメタル接続部１８とが設けられる。負荷座接続部１７からバイメタル接続部１８に至るまで、接続板８は上面視クランク状に可撓壁１９を折曲形成する。
【００１１】
回路遮断器１には、過電流が流れた場合に回路を遮断する機能がある。これは、前述の通り、過電流によって発生する熱がバイメタル７を変位させ、バイメタル７が掛合片１０に掛合することで操作ハンドル２が動作し、回路が遮断されるものである。バイメタル７と掛合片１０との位置関係によって、過電流引き外しにかかる時間が変わってくる。一定の精度を保つために、バイメタル７と掛合片１０との位置関係を一定のものにする必要がある。
【００１２】
しかし、負荷側端子９に導体を固定するため、端子ねじ１４を締め付け回転させたとき、端子金具１２も端子ねじ１４と同時に回転してしまうことがある。従来の接続板の構造であれば、接続板が撓むとバイメタルも歪んで配置されてしまい、バイメタルの配置位置がずれてしまうことで、過電流引き外し時間が一定でなくなる虞があった。
【００１３】
本発明における接続板８の構造では可撓壁１９が、端子ねじ１４の締め付けにより起こった歪みを吸収するため、バイメタル７が歪んで配置されることがなく、どの回路遮断器も過電流が流れた場合一定の時間で引き外すことができ、一定の精度をもつ回路遮断器となる。
【図面の簡単な説明】
【００１４】
【図１】回路遮断器の機構を示す説明図である。
【図２】回路遮断器における負荷側端子の端子部構造を示す説明図である。
【図３】図２における回路遮断器の接続板の構造を示す上面図である。
【図４】図２における回路遮断器の接続板の構造を示す側面図である。
【符号の説明】
【００１５】
１    回路遮断器
２    操作ハンドル
３    電源側端子
４    固定接触子
５    可動接触子
６    可撓銅線
７    バイメタル
８    接続板
９    負荷側端子
１０  掛合片
１１  導体導入口
１２  端子金具
１３  ねじ挿通孔
１４  端子ねじ
１５  負荷座
１６  押さえ金具
１７  負荷座接続部
１８  バイメタル接続部
１９  可撓壁
【図１】
0005152796.tif 000002
【図２】
0005152796.tif 000003
【図３】
0005152796.tif 000004
【図４】
0005152796.tif 000005